(57)【要約】【課題】  記録ワイヤの挙動を安定化させること。【解決手段】  一端に記録ワイヤ５５を有するワイヤレバー６９の他端に、支点軸７０が挿通される軸孔６９Ａを備え、支点軸６９Ａの周りをワイヤレバー６９が回動してワイヤレバー６９の一端の記録ワイヤ５５を突出させる記録ヘッドにおいて、ワイヤレバー６９の軸孔６９Ａの内周面を支点軸６９Ａの周面の一部分に押し付けるように、ワイヤレバー６９を押圧する板ばね７７Ｃを備えた。【選択図】      図６
2005224973.tif 000002
【特許請求の範囲】
【請求項１】
一端に記録ワイヤを有するワイヤレバーの他端に、支点軸が挿通される軸孔を備え、前記支点軸の周りを前記ワイヤレバーが回動して前記ワイヤレバーの一端の記録ワイヤを突出させる記録ヘッドにおいて、
前記ワイヤレバーの軸孔の内周面を前記支点軸の周面の一部分に押し付けるように、前記ワイヤレバーを押圧する押圧手段を備えたことを特徴とする記録ヘッド。
【請求項２】
請求項１に記載の記録ヘッドにおいて、
前記押圧手段は、前記記録ワイヤの進退方向と略同一方向に押圧することを特徴とする記録ヘッド。
【請求項３】
請求項１又は請求項２に記載の記録ヘッドにおいて、
前記支点軸が、一対のスペーサにより挟まれて支持され、
前記押圧手段が、これらスペーサのいずれか一方に一体に形成された板ばねであることを特徴とする記録ヘッド。
【請求項４】
記録ヘッドに設けられた記録ワイヤの突出動作により、インクリボンを介してプラテン上に搬送されたシートに画像を記録する記録装置において、
前記記録ヘッドが、一端に前記記録ワイヤを有するワイヤレバーを備え、このワイヤレバーの他端に、支点軸が挿通される軸孔を備え、前記ワイヤレバーが前記支点軸の周りを回動するとともに、前記ワイヤレバーの軸孔の内周面を前記支点軸の周面の一部分に押し付けるように、前記ワイヤレバーを押圧する押圧手段を備えたことを特徴とする記録装置。
【請求項５】
請求項４に記載の記録装置において、
前記押圧手段は、前記記録ワイヤの進退方向と略同一方向に押圧することを特徴とする記録装置。
【請求項６】
請求項４又は請求項５に記載の記録装置において、
前記支点軸が、一対のスペーサにより挟まれて支持され、
前記押圧手段が、これらスペーサのいずれか一方に一体に形成された板ばねであることを特徴とする記録装置。
【発明の詳細な説明】
【技術分野】
【０００１】
支点軸の周りをワイヤレバーが回動して記録ワイヤを突出させる記録ヘッド及びこの記録ヘッドを備えた記録装置に関する。
【背景技術】
【０００２】
一般に、記録ヘッドに設けられた記録ワイヤを突出させる突出動作により、インクリボンを介してプラテン上に搬送されたシートに画像を記録する記録装置（ドットインパクトプリンタ）が知られている。
【０００３】
この種の記録装置の記録ヘッドにおいて、一端に記録ワイヤを有するワイヤレバーの他端に、支点軸を挿通するための軸孔を備え、ワイヤレバーが軸孔に挿通された支点軸の周りを回動し、ワイヤレバーの一端の記録ワイヤを突出させるものが提案されている（例えば、特許文献１参照）。つまり、上記記録ヘッドでは、支点軸と軸孔との間に隙間が設けられており、支点軸の周りをワイヤレバーが回動し、記録ワイヤを突出させている。
【特許文献１】特開平５−５２２号公報
【発明の開示】
【発明が解決しようとする課題】
【０００４】
しかしながら、上記記録装置の記録ヘッドでは、ワイヤレバーが支点軸の周りを回動するので、長期間の使用によってワイヤレバーの軸孔や支点軸が磨耗してしまうことがあった。この磨耗によって、ワイヤレバーの軸孔と支点軸との間の隙間が拡大してしまい、ワイヤレバーを回動させた際にワイヤレバーがガタつき、記録ワイヤの挙動が不安定になるという問題があった。このように、記録ワイヤの挙動が不安定になると、シートに記録される画像の記録品質が低下してしまうという問題があった。
【０００５】
そこで、本発明の目的は、上述した従来の技術が有する課題を解消し、記録ワイヤの挙動が安定化する記録ヘッド及びこの記録ヘッドを備えた記録装置を提供することにある。
【課題を解決するための手段】
【０００６】
上記課題を解決するため、本発明は、一端に記録ワイヤを有するワイヤレバーの他端に、支点軸が挿通される軸孔を備え、前記支点軸の周りを前記ワイヤレバーが回動して前記ワイヤレバーの一端の記録ワイヤを突出させる記録ヘッドにおいて、前記ワイヤレバーの軸孔の内周面を前記支点軸の周面の一部分に押し付けるように、前記ワイヤレバーを押圧する押圧手段を備えたことを特徴とするものである。
【０００７】
この記録ヘッドにおいて、前記押圧手段は、前記記録ワイヤの進退方向と略同一方向に押圧してもよい。
【０００８】
また、上記記録ヘッドにおいて、前記支点軸が、一対のスペーサにより挟まれて支持され、前記押圧手段が、これらスペーサのいずれか一方に一体に形成された板ばねであってもよい。
【０００９】
上記記録ヘッドによれば、ワイヤレバーのガタつきが抑制されるので、記録ワイヤの挙動が安定化する。
【００１０】
また、記録ヘッドに設けられた記録ワイヤの突出動作により、インクリボンを介してプラテン上に搬送されたシートに画像を記録する記録装置において、前記記録ヘッドが、一端に前記記録ワイヤを有するワイヤレバーを備え、このワイヤレバーの他端に、支点軸が挿通される軸孔を備え、前記ワイヤレバーが前記支点軸の周りを回動するとともに、前記ワイヤレバーの軸孔の内周面を前記支点軸の周面の一部分に押し付けるように、前記ワイヤレバーを押圧する押圧手段を備えたことを特徴とするものである。
【００１１】
この記録装置において、前記押圧手段は、前記記録ワイヤの進退方向と略同一方向に押圧してもよい。
【００１２】
また、上記記録装置において、前記支点軸が、一対のスペーサにより挟まれて支持され、前記押圧手段が、これらスペーサのいずれか一方に一体に形成された板ばねであってもよい。
【００１３】
上記記録装置によれば、ワイヤレバーのガタつきが抑制されるので、記録ワイヤの挙動が安定化し、シートに記録される画像の記録品質の低下を抑制することができる。
【発明を実施するための最良の形態】
【００１４】
以下、本発明の実施形態について図面を参照して説明する。
【００１５】
図１は、本発明に係る記録装置の実施形態が適用されたドットインパクトプリンタのプリンタ本体を示す斜視図である。図２及び図３は、ドットインパクトプリンタのプリンタ本体の構成を示す斜視図である。また、図４は、プリンタ本体の断面図である。
【００１６】
図１乃至図３に示す記録装置としてのドットインパクトプリンタ１０は、記録ヘッド２０（図３参照）が備える記録ワイヤを、インクリボンを介してシート（記録用紙）に押し付け、このシート上にドットを形成することにより、文字を含む画像を記録するものである。このシートとしては、所定長さに切断されたカットシートと、複数枚が連接された連続シートとがある。カットシートとしては、例えば単票紙や単票複写紙などの普通紙の他、通帳や葉書、封筒などがあり、連続シートとしては、連続紙、連続複写紙がある。
【００１７】
上記ドットインパクトプリンタ１０は、大別すると、記録装置本体としてのプリンタ本体１１と、プリンタ本体１１に着脱自在に装着されたプッシュトラクタユニット１２（図２）及び排出ユニット１３と、プリンタ本体１１の上方、下方のそれぞれを覆う外装体としてのアッパケース１４Ａ及びロアケース１４Ｂとを備えて構成されている。
【００１８】
上記プリンタ本体１１は、図２乃至図４に示すように、本体フレームとしてのベースフレーム１５、フロントフレーム１６、リアフレーム１７（図４）、左サイドフレーム１８及び右サイドフレーム１９と、記録ヘッド２０及びキャリッジ２１を備えた記録機構部２２と、プラテン２３、シート案内２４（図４）、第１搬送ローラ２５及び第２搬送ローラ２６を備えた第１シート搬送機構部２７、第３搬送ローラ２８及び第４搬送ローラ２９を備えた第２シート搬送機構部３０と、を有して構成される。
【００１９】
ベースフレーム１５、フロントフレーム１６及びリアフレーム１７の略両端部に、左サイドフレーム１８及び右サイドフレーム１９が立設して固定される。これら左サイドフレーム１８と右サイドフレーム１９との間に、キャリッジ軸３１が架け渡されて、回動自在に枢支される。更に、左サイドフレーム１８と右サイドフレーム１９との間にプラテン２３が架け渡されて回転自在に配設されるとともに、更にシート案内２４がリアフレーム１７上に固定して配設される。
【００２０】
プラテン２３を含む上記第１シート搬送機構部２７は、図４に示すように、プラテン２３の下方に第１搬送ローラ２５及び第２搬送ローラ２６が配置され、プリンタ本体１１のリア側のシート搬送機構として構成される。第１搬送ローラ２５及び第２搬送ローラ２６は、ローラホルダ３２に回転自在に枢支される。ローラホルダ３２は、リアフレーム１７に一端が固定された付勢ばね３３によりプラテン２３側に付勢され、これにより第１搬送ローラ２５及び第２搬送ローラ２６がプラテン２３に対して下方から当接しプラテン２３の回転力を受けて回転駆動される。
【００２１】
また第２シート搬送機構部３０は、第３搬送ローラ２８と第４搬送ローラ２９とが当接状態で配置されて、プリンタ本体１１のフロント側のシート搬送機構として構成される。
【００２２】
プラテン２３及び第４搬送ローラ２９は、駆動輪列部３４により正または逆方向に回転駆動される。この駆動輪列部３４は、左サイドフレーム１８又は右サイドフレーム１９の一方、例えば右サイドフレーム１９に設置される。この駆動輪列部３４は、正転又は逆転可能なシート搬送モータ３５（図２）と、シート搬送モータ３５の駆動軸に回転一体に固定されたモータピニオンと、このモータピニオンからの駆動力をプラテン２３へ伝達する複数の減速ギアと、第４搬送ローラ２９へ伝達する複数の減速ギアとを備えて構成される。この構成により、プラテン２３と第４搬送ローラ２９とが反対方向に回転し、カットシートまたは連続シートを、プリンタ本体１１の前方から後方へ搬送可能とし、または、プリンタ本体１１の後方から前方へ搬送可能とする。従って、カットシート及び連続シートは、キャリッジ２１の後述の主走査方向に直交する副走査方向に搬送される。
【００２３】
左サイドフレーム１８及び右サイドフレーム１９のプリンタ本体１１におけるフロント側及びリア側の各々には、トラクタユニット装着部４０Ａ、４０Ｂが形成され、各々にプッシュトラクタユニット１２が着脱自在に装着される。なお、図２は、プリンタ本体１１のフロント側にのみプッシュトラクタユニット１２が装着された状態を示す。
【００２４】
プリンタ本体１１のリア側に装着されるプッシュトラクタユニット１２は、連続シート（例えば連続紙）を、リア側の上記第１シート搬送機構部２７へ供給するものであり、フロント側に装着されるプッシュトラクタユニット１２は、フロント側の上記第２シート搬送機構部３０へ供給するものである。プリンタ本体１１のフロント側及びリア側に装着されるプッシュトラクタユニット１２は、各々略同様な構成となっており、左右に一対のトラクタ３６を有する。これらのトラクタ３６は、トラクタ駆動軸３７に回転一体且つ軸方向摺動自在に軸支されたトラクタ駆動プーリ（不図示）と、トラクタガイド軸３８に回転自在且つ軸方向摺動自在に軸支されたトラクタ従動駆動プーリ（不図示）とにトラクタベルト３９が巻き掛けられ、シート押え蓋（不図示）を備えて構成される。
【００２５】
プリンタ本体１１のフロント側から第２シート搬送機構部３０へ手差しでシートを供給する場合には、不図示の手差しトレーをフロント側のサイドフレーム１８、１９間に装着する。
【００２６】
一対のトラクタ３６間の距離は、搬送すべき連続シート（連続紙）の幅寸法に応じて調整可能とされる。また、トラクタベルト３９の全外周には複数のピンが突設され、連続シートの幅方向両側に穿設された穴に係合可能とされる。このトラクタベルト３９も前述の駆動輪列部３４により駆動される。
【００２７】
上記キャリッジ２１は、キャリッジ軸３１に摺動自在に挿通されると共に、フロントフレーム１６の上端部に摺接され、更に、記録ヘッド２０を搭載する。キャリッジ軸３１がプラテン２３と平行に配置されることから、キャリッジ２１は、これらプラテン２３、キャリッジ軸３１の軸方向と一致する主走査方向に走行（走査）可能に設けられる。
【００２８】
このキャリッジ２１は、キャリッジ軸３１の一端の近傍におけるキャリッジ駆動モータ４１に回転一体に軸支されたベルト駆動プーリ（不図示）と、キャリッジ軸３１の他端の近傍に設けられたベルト従動プーリ（不図示）とに架け渡されたタイミングベルト４２（図４）に結合される。従って、キャリッジ２１は、キャリッジ駆動モータ４１の正転又は逆転により、タイミングベルト４２を介し、キャリッジ軸３１及びフロントフレーム１６に案内されて、主走査方向における図１乃至３の左向き又は右向きに走査される。ここで、キャリッジ駆動モータ４１は、シート搬送モータ３５とともに例えばステッピングモータにて構成される。
【００２９】
キャリッジ軸３１の前方左側には、リボン駆動軸４３が設けられる。このリボン駆動軸４３は、左サイドフレーム１８及び右サイドフレーム１９に装着されたリボンカートリッジ４４内のインクリボンを移動させるものである。このインクリボンは、記録ヘッド２０とプラテン２３との間に引き回され、リボン駆動軸４３により移動可能に設けられる。
【００３０】
上記記録ヘッド２０は、多数の記録ワイヤを備え、これらの記録ワイヤの突出方向前方にインクリボンが位置する。記録ヘッド２０は、キャリッジ２１と共に主走査方向に走行される間に、記録ワイヤを突出させてインクリボンに打ち当て、このインクリボンのインクを、プラテン２３と記録ヘッド２０との間に搬送されるシートに付着させて、このシートに文字を含む画像を記録する。
【００３１】
記録ヘッド２０による記録動作は、キャリッジ２１が図１乃至３の主走査方向左向き又は右向きに走行される間に、記録ヘッド２０の記録ワイヤにより一行分の記録がなされ、この一行分の記録がなされる度に、上記第１シート搬送機構部２７又は第２シート搬送機構部３０が、それぞれシートを所定長（通常行間分）搬送させ、これらの動作が繰り返されることにより実施される。
【００３２】
上記排出ユニット１３は、図４に示すように、ローラ軸４５に回転一体に設けられた排出ローラ４６を備え、この排出ローラ４６の回転によって、記録ヘッド２０により記録されたシートがプリンタ１０外に排出される。
【００３３】
上記右サイドフレーム１９の外側には、レリースレバー４７が設けられ、このレリースレバー４７の操作によって、シート搬送モータ３５の駆動力を伝達する伝達ギア（不図示）が、プリンタ本体１１のリア側に装着されたプッシュトラクタユニット１２のトラクタ駆動軸３７を駆動するトラクタ駆動ギア（不図示）と噛み合い、または離脱可能に構成される。伝達ギアがトラクタ駆動ギアと噛み合っている時には、図４に示すレリース軸４８に形成されたカム４９の作用で、第１シート搬送機構部２７の第１搬送ローラ２５がプラテン２３から離反して、シートとしての連続紙が、プリンタ本体１１のリア側に装着されたプッシュトラクタユニット１２からプラテン２３へ供給され搬送される。
【００３４】
また、レリースレバー４７の操作により、伝達ギアがトラクタ駆動ギアから離脱したときには、上記カム４９の作用で、第１シート搬送機構部２７の第１搬送ローラ２５がプラテン２３に接触して回転し、図示しないシート供給ガイド等から、シートとしての単票紙が、第１シート搬送機構部２７のシート案内２４からプラテン２３へ供給され搬送される。
【００３５】
上記左サイドフレーム１８の外側には、アジャストレバー５０が設けられ、このアジャストレバー５０の操作によって、その操作量に応じた分だけキャリッジ軸３１がプラテン２３から離間又は接近可能に構成される。従って、アジャストレバー５０の手動操作によって、上記キャリッジ軸３１に支持されたキャリッジ２１に搭載される記録ヘッド２０とプラテン２３との間のプラテンギャップを、シート厚等に応じて調整可能となる。
【００３６】
また、プラテン２３、プッシュトラクタユニット１２及び排出ユニット１３の駆動制御と、キャリッジ２１の走行制御と、記録ヘッド２０の記録ワイヤによる記録動作の制御は、制御装置としての制御基板部５１により実施される。この制御基板部５１は、例えばプリンタ本体１１のリア側下方に配置される。
【００３７】
次に、記録ヘッド２０について詳細に説明する。図５は、記録ヘッド２０の側断面図である。また、図６は、図５におけるＦ段（前段）記録ヘッドユニット２０Ａの一部分を示す部分断面図である。
【００３８】
この記録ヘッド２０は、図５に示すように、ヘッド駆動部５３にノーズ５４が連接され、ヘッド駆動部５３の外周に放熱器５６が配置されて構成される。この記録ヘッド２０は、ドットインパクト方式の記録ヘッドであり、ヘッド駆動部５３は、Ｆ段（前段）記録ヘッドユニット２０Ａと、Ｒ段（後段）記録ヘッドユニット２０Ｂとを備え、これら記録ヘッドユニット２０Ａ、２０Ｂが連結されて構成されている。
【００３９】
この２つの記録ヘッドユニット２０Ａ及び２０Ｂは、ほぼ同様の構成を有するため、説明の便宜上、Ｆ段記録ヘッドユニット２０Ａについて詳細に説明し、Ｒ段記録ヘッドユニット２０Ｂについて、Ｆ段記録ヘッドユニット２０Ａと同一構成部分については同一符号を付して説明を省略する。
【００４０】
図５に示すように、Ｆ段記録ヘッドユニット２０Ａは、フレーム６１と、ヨーク６２と、サイドヨーク６３と、レバーホルダ６４とが順次積層されて構成される。
【００４１】
フレーム６１は、軟磁性材料により略円板形状に形成され、複数のコア６５が同心円上に所定間隔を隔てて一体に突設され、各コア６５に電磁コイル６６がボビン６７を介して巻かれて電磁石６８が構成される。
【００４２】
ヨーク６２及びサイドヨーク６３には、複数のワイヤレバー６９が収容される。これらのワイヤレバー６９の一端（先端）には、図６に示すように、記録ワイヤ５５が取付けられている。また、ワイヤレバー６９の他端（基端）には、支点軸７０が挿通される軸孔６９Ａが設けられ、ワイヤレバー６９が支点軸７０の周りを回動自在となるように、ワイヤレバー６９の軸孔６９Ａに支点軸７０が挿通されている。つまり、ワイヤレバー６９が支点軸７０の周りを回動自在となるように、ワイヤレバー６９の軸孔６９Ａと支点軸７０との間に隙間が設けられている。
【００４３】
各ワイヤレバー６９は、図５に示すように、スプリングホルダ７１に内蔵された復帰スプリング７２によってノーズ５４と反対の方向へ常時付勢される。
【００４４】
さらに、各ワイヤレバー６９には、各コア６５に対向する位置にアーマチュア７３が設けられている。アーマチュア７３は、軟磁性材料から形成され、電磁石６８の電磁吸引力によってコア６５に吸引される部材である。これにより、ワイヤレバー６９のアーマチュア７３が電磁石６８への通電によりに吸引された場合、ワイヤレバー６９は、支点軸７０を中心に、支点軸７０の周りを回動し、記録ワイヤ５５を突出させる。同様に、Ｒ段記録ヘッドユニット２０Ｂの記録ワイヤ５５についても、電磁石６８の電磁吸引力によって突出される。また、電磁石６８への通電が遮断された場合、ワイヤレバー６９のアーマチュア７３の吸引が解除され、ワイヤレバー６９が復帰スプリング７２によって待機位置に復帰される。
【００４５】
なお、Ｒ段記録ヘッドユニット２０Ｂの記録ワイヤ５５は、Ｆ段記録ヘッドユニット２０Ａの背面から挿通されて、その先端がＦ段記録ヘッドユニット２０Ａの記録ワイヤ５５の先端と近接して配置される。具体的には、各記録ヘッドユニット２０Ａ及び２０Ｂの記録ワイヤ５５の先端は、ノーズ５４の正面から見て一列又は複数列で配置されるようになっている。
【００４６】
図５を参照し、レバーホルダ６４は、サイドヨーク６３をフレーム６１側に押さえつけることによって、フレーム６１、ヨーク６２、サイドヨーク６３及びワイヤレバー６９を一体化させる部品である。
【００４７】
固定ばね７４は、Ｒ段記録ヘッドユニット２０Ｂ及びＦ段記録ヘッドユニット２０Ａの各構成部品をノーズ５４側に付勢し、Ｒ段記録ヘッドユニット２０Ｂ及びＦ段記録ヘッドユニット２０Ａを一体化させるものである。
【００４８】
ノーズ５４は、Ｆ段記録ヘッドユニット２０Ａ及びＲ段記録ヘッドユニット２０Ｂから打ち出される記録ワイヤ５５の進退動作を案内するものである。つまり、記録ワイヤ５５の進退動作は、ノーズ５４内に形成された複数の中間ガイド７５及び先端ガイド７６により案内される。このノーズ５４によって案内された各記録ワイヤ５５は、ノーズ５４の外に突出し、記録ヘッド２０に対向配置されたインクリボン５２のインクをプラテン２３上のシートＳに転写する。
【００４９】
図７は、Ｆ段（前段）記録ヘッドユニット２０Ａの一部分を示す分解斜視図である。また、図８は、記録ヘッド２０のワイヤレバー６９近傍を示す説明図である。
【００５０】
ヨーク６２とサイドヨーク６３との間には、図５乃至図７に示すように、環状の第１スペーサ７７が挟み込まれるとともに、サイドヨーク６３とレバーホルダ６４との間には、環状の第２スペーサ７８が挟み込まれている。つまり、サイドヨーク６３が、第１スペーサ７７と第２スペーサ７８との間に配置されている。これら一対のスペーサ７７、７８により支点軸７０が挟まれて支持されている（図８参照）。
【００５１】
また、サイドヨーク６３は、記録ワイヤ５５の進退方向に対して略垂直方向に支点軸７０が移動するのを規制している。これによって、支点軸７０は、一対のスペーサ７７、７８及びサイドヨーク６３により固定されることとなる。
【００５２】
具体的に説明すると、第１スペーサ７７は、図７に示すように、環状の環部７７Ａと、この環部７７Ａの中心に向かって、環部７７Ａに連なって延びる板状の複数の支点軸押え部７７Ｂとを備えている。これら複数の支点軸押え部７７Ｂは、互いに所定の間隔を隔てて同心円上に配置され、支点軸７０に対応する位置まで環部７７Ａに連なって第１スペーサ７７の中心に向かって延びている。同様に、第２スペーサ７８は、環状の環部７８Ａと、この環部７８Ａの中心に向かって、環部７８Ａに連なって延びる板状の複数の支点軸押え部７８Ｂとを備えている。これら複数の支点軸押え部７８Ｂは、互いに所定の間隔を隔てて同心円上に配置され、支点軸７０に対応する位置まで環部７８Ａに連なって第２スペーサ７８の中心に向かって延びている。ワイヤレバー６９は、第１スペーサ７７における支点軸押え部７７Ｂと支点軸押え部７７Ｂとの間、及び第２スペーサ７８における支点軸押え部７８Ｂと支点軸押え部７８Ｂとの間の空所に配置され、支点軸７０の両端が、第１スペーサ７７の支点軸押え部７７Ｂと、第２スペーサ７８の支点軸押え部７８Ｂとに挟まれて支持される。
【００５３】
ところで、ワイヤレバー６９が支点軸７０の周りを回動するので、長期間の使用によってワイヤレバー６９の軸孔６９Ａや支点軸７０が磨耗してしまうこととなり、軸孔６９Ａと支点軸７０との間の隙間が拡大してしまうこととなる。
【００５４】
本実施形態では、図６乃至図８に示すように、ワイヤレバー６９の軸孔６９Ａの内周面を支点軸７０の周面の一部分に押し付けるように、ワイヤレバー６９を押圧する押圧手段としての板ばね７７Ｃを備えている。つまり、板ばね７７Ｃによって、ワイヤレバー６９が押圧されて一方向に寄せ付けられ、ワイヤレバー６９が回動した際に、ワイヤレバー６９がガタつくのが抑制される。従って、記録ワイヤ５５の挙動が安定し、記録品質の低下を抑制することができる。
【００５５】
具体的に説明すると、板ばね７７Ｃは、図６乃至図８に示すように、これらスペーサ７７、７８のいずれか一方、本実施形態では、第１スペーサ７７に一体に形成されている。つまり、板ばね７７Ｃは、第１スペーサ７７の環部７７Ａに連なって延び、記録ワイヤ５５の突出する方向に折り曲げられて形成されている。従って、板ばね７７Ｃがスペーサ７７に一体に形成されているので、別途、コイルばね等を設ける必要がなく、部品点数が少なくて済むとともに、記録ヘッド２０の組み立てが容易である。
【００５６】
図９は、第１スペーサ７７を示す斜視図であり、図１０は、ワイヤレバー６９及び第１スペーサ７７の一部分を示す斜視図である。図１１は、ワイヤレバー６９の軸孔６９Ａ部分の断面を示す説明図である。なお、図１１において、軸孔６９Ａの径と、支点軸７０の径との比率は、説明の便宜上、実際とは異ならせている。
【００５７】
板ばね７７Ｃは、図９及び図１０に示すように、支点軸押え部７７Ｂと支点軸押え部７７Ｂとの間に配置されて、環部７７Ａに連なって第１スペーサ７７の中心に向かって延びるとともに、環部７７Ａ近傍で記録ワイヤ５５の突出する方向に折り曲げられて形成されている。そして、板ばね７７Ｃがワイヤレバー６９の他端に当接して、ワイヤレバー６９の他端を押圧している。これによって、図１１に示すように、ワイヤレバー６９の軸孔６９Ａの内周面１００が支点軸７０の周面１０１の一部分１０１Ａに常時押し付けられることとなり、ワイヤレバー６９が回動した場合、ワイヤレバー６９の他端が一方向に寄せ付けられているので、ワイヤレバー６９がガタつくことはない。つまり、ワイヤレバー６９の軸孔６９Ａや支点軸７０が磨耗して、これらの間の隙間が拡大したとしても、ワイヤレバー６９の軸孔６９Ａの内周面１００が支点軸７０の周面１０１の一部分１０１Ａに常時押し付けられるように、ワイヤレバー６９の他端が一方向に寄せ付けられているので、ワイヤレバー６９がガタつくことはない。従って、記録ワイヤ５５の挙動が安定し、記録品質の低下を抑制することができる。
【００５８】
ここで、板ばね７７Ｃは、ワイヤレバー６９の他端を、記録ワイヤ５５の進退方向と略同一方向（例えば、図６及び図１１中、矢印Ｚ方向である記録ワイヤ５５が復帰する方向）に押圧している。つまり、ワイヤレバー６９は、記録ワイヤ５５の進退によって記録ワイヤ５５の進退方向に移動しやすいためである。これによって、より効果的にワイヤレバー６９のガタつきを防止することができ、より効果的に記録ワイヤ５５の挙動が安定し、より効果的に記録品質の低下を抑制することができる。
【００５９】
以上、一実施形態に基いて本発明を説明したが、これに限るものではない。
【００６０】
例えば、上記実施形態では、第１スペーサ７７に板ばね７７Ｃを設ける場合について説明したが、第１スペーサに板ばねを設ける替わりに、上記実施形態の第１スペーサ７７と同様に第２スペーサに板ばねを設けてもよい。この場合、板ばねは、第２スペーサの環部に連なって延び、記録ワイヤの復帰する方向に折り曲げられて形成されている。従って、この板ばねにより、ワイヤレバーの他端が、記録ワイヤの進退方向と略同一方向（記録ワイヤの突出方向）に押圧されることとなる。これによって、記録ワイヤの挙動が安定し、記録品質の低下を抑制することができる。
【図面の簡単な説明】
【００６１】
【図１】本発明に係る記録装置の実施形態が適用されたドットインパクトプリンタのプリンタ本体を示す斜視図である。
【図２】ドットインパクトプリンタのプリンタ本体の構成を示す斜視図である。
【図３】ドットインパクトプリンタのプリンタ本体の構成を示す斜視図である。
【図４】プリンタ本体の断面図である。
【図５】記録ヘッドの側断面図である。
【図６】図５におけるＦ段記録ヘッドユニットの一部分を示す部分断面図である。
【図７】Ｆ段記録ヘッドユニットの一部分を示す分解斜視図である。
【図８】記録ヘッドのワイヤレバー近傍を示す説明図である。
【図９】第１スペーサを示す斜視図である。
【図１０】ワイヤレバー及び第１スペーサの一部分を示す斜視図である。
【図１１】ワイヤレバーの軸孔部分の断面を示す説明図である。
【符号の説明】
【００６２】
１０…プリンタ（記録装置）、２０…記録ヘッド、２１…キャリッジ、２３…プラテン、５２…インクリボン、５５…記録ワイヤ、６９…ワイヤレバー、６９Ａ…軸孔、７０…支点軸、７７…第１スペーサ（スペーサ）、７７Ｃ…板ばね（押圧手段）、７８…第２スペーサ（スペーサ）。
【図１】
2005224973.tif 000003
【図２】
2005224973.tif 000004
【図３】
2005224973.tif 000005
【図４】
2005224973.tif 000006
【図５】
2005224973.tif 000007
【図６】
2005224973.tif 000008
【図７】
2005224973.tif 000009
【図８】
2005224973.tif 000010
【図９】
2005224973.tif 000011
【図１０】
2005224973.tif 000012
【図１１】
2005224973.tif 000013